(57)【要約】【課題】人の手を介在することなしに、かつ転送途中の機器の不具合に影響されずに、受信した内容を正確に相手先へ自動的に転送する。【解決手段】送信機からデータの受信が本装置にあった場合（Ｓ１）、受信したデータの印刷出力の処理を行う（Ｓ２）と共に、データを送信する送信機の番号が、送受情報に登録された送信機の番号と一致するか確認する（Ｓ３）。この番号が予め登録された送信機の番号のとき（Ｓ３のＹｅｓ）、送信機と送受情報に登録された受信機へのデータ送信を行うために、登録された受信機の番号が選択され（Ｓ４）、データの送信が行われる（Ｓ５）。登録された受信機が残っているか確認し（Ｓ６）、残りがあれば処理Ｓ４へ戻り、順次、データの転送を行う。予め送信機及び受信機を登録することで、送信機と登録された受信機へ自動的にデータの転送を人の手を介さず確実に行うことができる。【選択図】    図３
2004235742.tif 000002
【特許請求の範囲】
【請求項１】
文字や画像の原稿を静止画のデータとして送受信するファクシミリ装置において、
本装置が送信機から受信した前記データを受信機へ送信するため、前記送信機と前記受信機との情報の組み合わせを送受情報として登録する手段と、前記送受情報に登録された前記送信機から受信した前記データを前記受信機へ自動的に転送する手段とを備えたことを特徴とする自動転送ファクシミリ装置。
【請求項２】
受信したデータの印刷出力が不可状態の場合に、前記受信したデータを蓄積手段に蓄積すると共に、前記データが送受情報に登録された送信機から受信した場合には、前記送受情報に登録された受信機へ前記データを自動的に転送することを特徴とする請求項１記載の自動転送ファクシミリ装置。
【請求項３】
送信機より受信したデータを、本装置の送受情報に登録された受信機への送信時に前記受信機の受信不可を確認した場合、前記受信不可の受信機の送受情報に登録されている受信機の情報を取得する手段を備え、前記情報を取得した受信機へ前記データを自動的に転送することを特徴とする請求項１記載の自動転送ファクシミリ装置。
【請求項４】
送信機より受信したデータを、本装置の送受情報に登録された受信機への送信時に前記受信機の受信不可を確認した場合、前記受信不可の受信機の情報を保持する手段と、前記受信機が前記データの受信を完了するまで定期的に前記データの送信を繰り返す手段とを備えたことを特徴とする請求項３記載の自動転送ファクシミリ装置。
【発明の詳細な説明】
【０００１】
【発明の属する技術分野】
本発明は、送信機より受信のデータを、この送信機と送受情報に登録された受信機へ自動的に転送する自動転送ファクシミリ装置に関するものである。
【０００２】
【従来の技術】
学校や地域等の各家庭間で利用される連絡網を考えてみると、一般的に電話による連絡が主体であり、しかも、連絡網には何十人もの人が数珠つながりとなっている。連絡の内容としては、簡単なことから何項目にもわたった込み入った内容の場合もあり、特に、込み入った内容の場合、連絡を受けた側は、その内容を把握して次の人に伝える必要があるため、電話で内容を聞きながら走り書きでメモをとることになる。電話を切った後で、走り書きのメモがうまく読めなかったり、メモした内容が抜けてしまったりと、正確には伝わっていかず、最初に連絡網を流した人が伝えようとした内容と最後の人が聞いた内容とでは、まるで伝言のゲームのように伝達内容に違いが見受けられる。そして、連絡網が使われるような場合は、緊急時や大切な内容を伝えたい場合が多いので、大変不都合がある。
【０００３】
近年、一家に一台はファクシミリ装置を所有する状況になっており、さらに、女性が仕事を持つようになって、家が不在である時間も長くなってきている。このような状況にもかかわらず、前述したような連絡等にファクシミリ装置があまり使われないのは、ファクシミリ装置を使用しても連絡網を流すのは人の手を介在することになっているからである。
【０００４】
また、特許文献１に記載されるようなファクシミリ装置において、受信不可の場合に代理ファクシミリ装置により受信するものや、パーソナルコンピュータ等の普及により電子メールを利用したファクシミリ送信、または受信をすることが、特許文献２，特許文献３に記載され、これらは、複数のファクシミリ装置やパーソナルコンピュータを必要として構成されている。
【０００５】
【特許文献１】
特開平５−４８７９４号公報
【特許文献２】
特開平１０−５１４８２号公報
【特許文献３】
特開２０００−２７８４４６号公報
【０００６】
【発明が解決しようとする課題】
そして、従来の広く普及しているファクシミリ装置には、中継機に登録されているグループＮｏ．を指定して中継機にファクシミリ装置のデータを送信すると、中継機が指定されたグループＮｏ．に登録されているファクシミリ装置にデータを転送するなどの中継送信機能があるが、ある特定のファクシミリ装置から送信されてきたデータを特定の相手先のファクシミリ装置に自動転送することができないという課題があった。
【０００７】
本発明は、前記従来技術の問題を解決することに指向するものであり、人の手を介在することなしに、受信した内容を正確に相手先へ自動的に転送する自動転送ファクシミリ装置を提供することを目的とする。
【０００８】
【課題を解決するための手段】
この目的を達成するために、本発明に係る請求項１に記載される自動転送ファクシミリ装置は、文字や画像の原稿を静止画のデータとして送受信するファクシミリ装置において、本装置が送信機から受信したデータを受信機へ送信するため、送信機と受信機との情報の組み合わせを送受情報として登録する手段と、送受情報に登録された送信機から受信したデータを受信機へ自動的に転送する手段とを備えた構成によって、人の手を介在することなしに、受信した内容を正確に相手先へ自動的に転送することができる。
【０００９】
また、請求項２〜４に記載される自動転送ファクシミリ装置は、請求項１の自動転送ファクシミリ装置において、受信したデータの印刷出力が不可状態の場合に、受信したデータを蓄積手段に蓄積すると共に、データが送受情報に登録された送信機から受信した場合には、送受情報に登録された受信機へデータを自動的に転送すること、また送信機より受信したデータを、本装置の送受情報に登録された受信機への送信時に受信機の受信不可を確認した場合、受信不可の受信機の送受情報に登録されている受信機の情報を取得する手段を備え、この情報を取得した受信機へデータを自動的に転送すること、さらに、送信機より受信したデータを、本装置の送受情報に登録された受信機への送信時に受信機の受信不可を確認した場合、受信不可の受信機の情報を保持する手段と、この受信機がデータの受信を完了するまで定期的にデータの送信を繰り返す手段とを備えた構成によって、転送途中の装置障害によって影響されることなく、次の装置以降に円滑、かつ確実にデータを転送することができる。
【００１０】
【発明の実施の形態】
以下、図面を参照して本発明における実施の形態を詳細に説明する。
【００１１】
図１は本発明の実施の形態における自動転送を行うファクシミリ装置の概略構成を示すブロック図である。図１において、１は公衆回線等を介して他のファクシミリ装置とデータの送受信を行う通信手段、２は装置情報や受信データ等を記憶する記憶手段、３は受信したデータを記録紙に印刷出力する印刷手段、４は送信する原稿から光学的にデータを読み取る読取手段、５は、送信先のファクシミリ装置の番号や装置の各種設定を入力、及び装置情報を表示出力する操作表示手段、６はファクシミリ装置を構成する各手段を制御する制御手段である。
【００１２】
さらに、７は、本装置が受信したデータを送信するための送信機及び受信機の装置情報（ファクシミリ装置のファックス番号）を送受情報として、例えば記憶手段２に記憶し登録する番号登録手段、８は、受信データを番号登録手段７にて送信機と送受情報に登録された受信機を選択し、この受信機へ自動的にデータを送信するデータ転送手段、９は、データの送信先である受信機が受信不可のときに、この受信不可の受信機に送受情報として登録されている受信機の情報を取得する番号取得手段、１０は、データを送信するため選択された受信機がデータの受信不可時に、この選択された情報（番号）を保持する未完番号保持手段、１１は、未完番号保持手段１０に保持された受信機の番号があるときに、定期的に保持された該当番号の受信機へデータ転送手段８によりデータの送信処理を行う再転送手段である。
【００１３】
また、図２は本実施の形態の実施例１を説明するための連絡網を構築したファクシミリ装置の構成図、図３は本実施例１のデータ転送を行う処理動作を示すフローチャートである。以下、本実施例１について、図１，図２，図３を参照しながらその動作を説明する。
【００１４】
まず、ファクシミリ装置において、自動転送を行うためにユーザが操作表示手段５から送信機及び受信機の送受情報としてそれぞれの番号（情報）を入力し、番号登録手段７により登録処理を行う。この場合に、複数の受信機に送信する場合は、送信する先として全ての受信機の番号を登録する。図２の例では、本装置１５において、送信機１４の番号（０３−１１１１−２２２２）と受信機１６，１７の番号（０３−５５５５−６６６６，０３−７７７７−８８８８）が登録内容１５ａに示すように登録される。また、同様に送信機１４，受信機１６，１７においても登録内容１４ａ，１６ａ，１７ａが登録される。
【００１５】
いま、送信機１４からのデータの受信が本装置１５にあった場合（Ｓ１）、受信したデータの印刷出力の処理を行う（Ｓ２）と共に、データを送信する送信機の番号が、前述した番号登録手段７により送受情報に登録された送信機の番号と一致しているか確認を行う（Ｓ３）。この番号が番号登録手段７によって予め送受情報に登録された送信機１４の番号（０３−１１１１−２２２２）であるとき（Ｓ３のＹｅｓ）、送信機１４と送受情報に登録された受信機１６，１７へのデータ送信を行うため、データ転送手段８によって先に登録された受信機として１番目の受信機１６の番号（０３−５５５５−６６６６）が選択され（Ｓ４）、データの送信が行われる（Ｓ５）。
【００１６】
引き続き、まだ送受情報に登録された受信機が残っているか確認し（Ｓ６）、登録されていれば処理Ｓ４へ戻り、前述と同様にデータ転送手段８により、２番目の受信機１７の番号（０３−７７７７−８８８８）が選択され、順次、データの転送が行われる。また、前記の処理Ｓ３において登録された送信機でないとき（Ｓ３のＮｏ）、及び処理Ｓ６の登録された残りの送信機がないとき（Ｓ６のＮｏ）には、処理を終了する。
【００１７】
これにより、送受情報に登録された送信機からデータを受信した場合、登録された受信機へ自動的にデータの転送をすることができ、人の手が介在することの煩わしさ等がなく、確実にデータを転送することができる。
【００１８】
次に、本実施の形態における実施例２として、前述した実施例１を説明する図３のフローチャートに示したように、本装置１５において、送信機及び受信機を送受情報に登録した登録内容１５ａのような番号登録処理を行った後、送信機１４からデータ受信が本装置１５にあり、受信したデータの印刷出力処理を行うときに、用紙なし，紙詰まり等の不具合により印刷出力を行う図３の処理Ｓ２が実行できなかった場合、受信したデータを記憶手段２に蓄積する。
【００１９】
そして、本装置の印刷出力に不具合が発生していること、また記憶手段２に受信したデータが蓄積されていることを、操作表示手段５により表示，発音してユーザに通知すると共に、図３の処理Ｓ３以降の処理を行うようにしたものであり、これにより、本装置１５において、印刷出力することができないような不具合が発生しても、転送先の受信機へ確実にデータの転送を行うことができる。
【００２０】
また、図４は本実施の形態における実施例３を説明するための連絡網を構築したファクシミリ装置の構成図である。図４に示すように、本実施例３において、送信機１４から受信したデータを、本装置１５から受信機１６へ送信時（図３の処理Ｓ５参照）に、受信機１６において受信不可の状態（例えば、受信機において印刷出力できず、さらに、記憶手段２には先に受信したデータが蓄積されており、これ以上蓄積することができない状態等）となったとき、本装置１５の番号取得手段９（図１参照）により受信機１６の登録内容１６ａに示す送信先の番号（０３−１１２２−３３４４）の取得を行う。
【００２１】
図５は本実施例３における、送信先の受信機にて受信不可の状態となったときの本装置における転送処理の動作を示すフローチャートである。本実施例３の動作を図４，図５を用いて、以下に説明する。
【００２２】
本実施例３は実施例１と同様に、送信機１４からのデータを受信した本装置１５は、送信機及び受信機の送受情報を登録した登録内容１５ａに基づき、受信機１６への送信処理を行う（図３の処理Ｓ５参照）。ここで、受信機１６が受信不可の状態である場合（Ｓ１０のＹｅｓ）、本装置１５は、受信機１６の登録内容１６ａ（送信機及び受信機の送受情報に登録した内容）に受信先の番号（送信機の情報）として本装置１５が登録されているか確認する（Ｓ１１）。
【００２３】
本装置１５が、登録されていれば（Ｓ１１のＹｅｓ）、登録されている登録内容１６ａの送信先の番号（受信機の情報）を取得する（Ｓ１３）。このとき、受信機１６の登録内容１６ａに送信先（受信機の番号）が複数登録されている場合には、登録されている全ての送信先の番号を取得する。
【００２４】
本装置１５は、取得した情報に基づき、例えば、取得した番号を新たな登録内容として、図３に示す処理Ｓ４〜Ｓ６を新たな登録内容の送信先の番号の全てにデータの送信が終了するまで処理を行う。さらに、新たな登録内容に基づく送信先への送信においても、受信不可の状態となった場合には、前述した処理を繰り返すことにより、データの転送途中における装置不具合が発生しても確実にデータの転送を行うことができる。
【００２５】
次に、本実施の形態の実施例４について説明する。前述の実施例３においては、図１に示すように、受信したデータを番号登録手段７により予め送受情報に登録されている受信機に送信を行う際に、その受信機が受信不可の状態であった場合、本装置のデータ転送手段８は登録されている次の受信機である送信先の番号の選択，取得を行いデータの送信を行うが、本実施例４では、受信不可の状態である受信機の番号を、未連絡リストとし未完番号保持手段１０により、例えば記憶手段２に保持しておく。
【００２６】
さらに、次に送信先の番号を選択，取得した受信機においても、受信不可の状態である場合、前述した実施例３の処理、及び受信不可の受信機の番号を未完番号保持手段１０によって記憶手段２に保持する処理が繰り返される。そして、正常な送信処理として、受信可能な受信機へのデータ送信が終了すると、記憶手段２に保持された受信不可の受信機の番号である未連絡リストに基づき、本装置の再転送手段１１が未連絡リストの先頭から順番に送信先の番号を取り出し、該当番号の受信機へ定期的にデータの送信を試みる。
【００２７】
これにより、データ転送途中における受信機の装置不具合が発生しても確実に、次のデータを転送したい受信機にデータの転送を行うことができ、さらに、受信不可の状態であった受信機においても、受信不可を回避して間もなくデータの受信をすることができ、最終的に連絡網に登録された全ての人が確実に連絡を受け取ることができる。
【００２８】
【発明の効果】
以上説明したように、本発明によれば、送信機から受信したデータを、この送信機と送受情報に登録された受信機へ自動的に転送でき、人の手が介在することの煩わしさがなく、また外出等で不在であっても、連絡網の後の人への転送に時間的な影響が及ばず、短時間で最後まで転送することができ、緊急連絡時など特に有効であり、また、ファクシミリ装置を転送に利用することから、内容を正確に連絡網の全ての人が受け取ることができ、さらに、転送途中の機器において発生の不具合にも影響されることなく確実な転送ができるという効果を奏する。
【図面の簡単な説明】
【図１】本発明の実施の形態における自動転送を行うファクシミリ装置の概略構成を示すブロック図
【図２】本実施の形態の実施例１を説明するための連絡網を構築したファクシミリ装置の構成図
【図３】本実施例１のデータ転送を行う処理動作を示すフローチャート
【図４】本実施の形態の実施例３を説明するための連絡網を構築したファクシミリ装置の構成図
【図５】本実施例３における送信先の受信機にて受信不可の状態の転送処理動作を示すフローチャート
【符号の説明】
１  通信手段
２  記憶手段
３  印刷手段
４  読取手段
５  操作表示手段
６  制御手段
７  番号登録手段
８  データ転送手段
９  番号取得手段
１０  未完番号保持手段
１１  再転送手段
１４  送信機
１５  本装置
１６，１７，１８，１９，２０  受信機
１４ａ，１５ａ，１６ａ，１７ａ  登録内容
【図１】
2004235742.tif 000003
【図２】
2004235742.tif 000004
【図３】
2004235742.tif 000005
【図４】
2004235742.tif 000006
【図５】
2004235742.tif 000007